(57)【要約】【課題】  比較的大きなサイズであっても正しい設置を容易に行なうことができる映写用スクリーン装置又は反射装置を提供する。【解決手段】  スクリーン体２又は反射体と、少なくとも一部に気体が充填されることでスクリーン体２又は反射体を起立使用状態で保持するベース本体３とを有し、ベース本体３が、起立使用状態において接地する接地面を構成する基体部４と、スクリーン体２又は反射体を保持する支持部５とを備え、基体部４の気体充填部４ａと支持部５の気体充填部５ａとが互いに独立していることで、設置する際、これらに対して気体の充填を順次行なうことができるものとした。【選択図】図１
2019139055.tif 000002
【特許請求の範囲】
【請求項１】
スクリーン体又は反射体と、少なくとも一部に気体が充填されることで前記スクリーン体又は反射体を起立使用状態に保持するベース本体とを有する映写用スクリーン装置又は反射装置であって、
前記ベース本体が、起立使用状態において接地する接地面を有する基体部と、前記スクリーン体又は反射体を保持する支持部とを備え、
前記基体部に設けられた気体充填部と、前記支持部に設けられた気体充填部とが互いに独立していることで、気体の充填をこれらに対して順次行なうことができることを特徴とする映写用スクリーン装置又は反射装置。
【請求項２】
前記基体部が、起立使用状態における接地面の周縁に前記気体充填部を有するものとしてなる請求項１記載の映写用スクリーン装置又は反射装置。
【請求項３】
前記支持部が、前記スクリーン体又は前記反射体を展張状態に保持する第一支持部と、前記スクリーン体又は前記反射体を使用姿勢に保持する第二支持部とを備え、前記第一支持部と前記第二支持部の夫々に独立した気体充填部を有するものとしてなる請求項１又は２記載の映写用スクリーン装置又は反射装置。
【請求項４】
前記第一支持部が、前記スクリーン体又は反射体の周囲における前記基体部側を除いた部分に形成された気体充填部を有するものとしてなる請求項３記載のスクリーン装置及び反射装置。
【請求項５】
前記第二支持部が、前記スクリーン体又は反射体の保持角度を調整可能とする角度調整手段を有してなる請求項３又は４記載の映写用スクリーン装置又は反射装置。
【請求項６】
前記角度調整手段が、前記基体部又は前記第二支持部に、複数の気体充填部を備え、これらの気体充填部の充填又は脱気によって前記スクリーン体又は反射体の角度を変更するものとしてなる請求項５記載の映写用スクリーン装置又は反射装置。
【発明の詳細な説明】
【技術分野】
【０００１】
本発明は、気体充填部を有し、不使用時には気体充填部内の気体を脱気して嵩を小さくすることができる気体充填式の映写用スクリーン装置又は反射装置であって、比較的大きなサイズであっても容易に正しく設置することができる映写用スクリーン装置又は反射装置に関する。
【背景技術】
【０００２】
従来、未使用時には小さく折り畳むことができ、使用時には自立し画像投影装置から投影された画像が映し出されるようにしたスクリーン装置として、スクリーンと、チューブ体からなる、内周部にスクリーンの外周部が接合されたスクリーン保持体とから構成されるものがある（特許文献１参照）。このスクリーン保持体は、チューブ体に気体が充填されて膨らむことにより、スクリーンを展開した状態に自立・保持することができるものである。
【０００３】
また、同じくスクリーンとして、スクリーン本体と、エアチューブからなる枠状支持体とを備え、展開時には、枠状支持体がスクリーン本体を周囲から引っ張ってしわを伸ばす役割を有するものがある（特許文献２参照）。このスクリーンは、枠状支持体を構成する一対のロールピラー部と、台座部とが、気密に連結されていることで、台座部に設けられたパイプを介して給気すると、スクリーン本体を周囲から引っ張った状態で自立することができるものである。
【先行技術文献】
【特許文献】
【０００４】
【特許文献１】特開平８−２８６２７７号公報
【特許文献２】特開２００６−５３２８９号公報
【０００５】
しかし、特許文献１及び２記載のスクリーン装置は、スクリーン支持体や枠状支持体といったスクリーンの支持体が一体的に構成され、この内部に気体を充填することで、スクリーン装置が形成されるものであるため、気体充填中に設置場所や角度にズレが生じると、気体充填の完了を待ってスクリーン装置全体を移動させる必要があるものであった。このとき、比較的小さなサイズのものであれば、その移動も行い得るが、比較的大きなサイズのものとなると、全体の重量も大きく、気体充填後の移動自体が困難なものとなっていた。また、気体の充填状況によっては、例えばスクリーン装置の上部に先に基体が流れ込むような場合には、そのバランスが崩れて転倒してしまう可能性があった。また、これらの問題は、同様の構造を備えた反射装置においても起こり得るものであった。
【発明の概要】
【発明が解決しようとする課題】
【０００６】
本発明が前述の状況に鑑み解決しようとするところは、比較的大きなサイズであっても正しい設置を容易に行なうことができる映写用スクリーン装置又は反射装置を提供する点にある。
【課題を解決するための手段】
【０００７】
本発明に係る映写用伸縮スクリーン装置及び反射装置は、前記課題解決のために、スクリーン体又は反射体と、少なくとも一部に気体が充填されることで前記スクリーン体又は反射体を起立使用状態に保持するベース本体とを有する映写用スクリーン装置又は反射装置であって、前記ベース本体が、起立使用状態において接地する接地面を有する基体部と、前記スクリーン体又は反射体を保持する支持部とを備え、前記基体部に設けられた気体充填部と、前記支持部に設けられた気体充填部とが互いに独立していることで、気体の充填をこれらに対して順次行なうことができることを特徴とするものである。
【０００８】
この構成によれば、設置作業において、まず基体部の充填作業を行ない、この時点で設置位置・角度を調整した後に、支持部の充填作業を行なうことで、比較的大きなサイズのものであっても設置を正しく容易に行なうことができる。
【０００９】
また、前記基体部が、起立使用状態における接地面の周縁に前記気体充填部を有するものであってもよい。
【００１０】
この構成によれば、接地面の周縁を含めた基体部の気体充填部に気体を充填することで、設置位置・向きの確認や、微調整のための移動も行い易いものとなる。
【００１１】
さらに、前記支持部が、前記スクリーン体又は前記反射体を展張状態に保持する第一支持部と、前記スクリーン体又は前記反射体を使用姿勢に保持する第二支持部とを備え、前記第一支持部と前記第二支持部の夫々に独立した気体充填部を有するものであってもよい。
【００１２】
この構成によれば、設置作業において、映写用スクリーン装置又は反射装置の立ち上げにおいて装置全体の膨らみ方を制御することができ、映写用スクリーン装置又は反射装置の傾倒等の問題を生じないものとすることができる。
【００１３】
さらにまた、前記第一支持部が、前記スクリーン体又は反射体の周囲における前記基体部側を除いた部分に形成された気体充填部を有するものであってもよい。
【００１４】
この構成によれば、スクリーン体を周囲で適切に保持し、スクリーン体又は反射体を効率よく綺麗に展張することができる。
【００１５】
また、前記第二支持部が、前記スクリーン体又は反射体の保持角度を調整可能とする角度調整手段を有してなるものであってもよい。
【００１６】
この構成によれば、使用目的、用途に応じてスクリーン体又は反射体の角度を変更することができる。特に反射装置として用いる場合には、太陽の位置に合わせて反射体の角度を変更することができるため、反射装置としてより好適なものとなる。
【００１７】
さらに、前記角度調整手段が、前記基体部又は前記第二支持部に、複数の気体充填部を備え、これらの気体充填部の充填又は脱気によって前記スクリーン体又は反射体の角度を変更するものであってもよい。
【００１８】
この構成によれば、スクリーン体又は反射体の角度の変更をより簡易に行なうことができる。
【発明の効果】
【００１９】
本発明に係る映写用スクリーン装置又は反射装置によれば、充填・設置作業において、まず基体部の充填作業を行ない、この時点で設置位置・角度を調整したうえで、支持部の充填作業を行なうことで、比較的大きなサイズのものであっても設置を正しく容易に行なうことができる。
【図面の簡単な説明】
【００２０】
【図１】本発明の実施形態に係る映写用スクリーン装置又は反射装置１の構成を示す後側斜視図である。
【図２】同じく映写用スクリーン装置又は反射装置１の構成を示す前側斜視図である。
【図３】同じく映写用スクリーン装置又は反射装置１の気体の充填手順を示す側面図であり、（ａ）は充填前の状態、（ｂ）は基体部を充填した状態、（ｃ）は基体部と第二支持部を充填した状態、（ｄ）は全てを充填した状態を示す。
【図４】本発明の第二実施形態に係る映写用スクリーン装置又は反射装置１Ａ（角度調整手段を有するもの）の構成を示す説明図であり、（ａ）は角度調整用の気体充填部にも気体を充填した状態の側面断面図、（ｂ）は角度調整用の気体充填部を脱気した状態の側面図を示す。
【図５】本発明の第三実施形態に係る映写用スクリーン装置又は反射装置１Ｂ（別の角度調整手段を有するもの）の構成を示す側面断面図である。
【図６】本発明の第四実施形態に係る映写用スクリーン装置又は反射装置１Ｃ（更に別の角度調整手段を有するもの）の構成を示す側面図である。
【図７】本発明の第五実施形態に係る映写用スクリーン装置又は反射装置１Ｄ（フロート手段を有するもの）の構成を示す後側斜視図である。
【図８】本発明の実施形態に係る反射装置１Ｂの起立使用状態を示す説明図である。
【発明を実施するための形態】
【００２１】
以下、本発明の実施形態を添付図面に基づき詳細に説明するが、本発明は、添付図面に示された形態に限定されず特許請求の範囲に記載の要件を満たす実施形態の全てを含むものである。本明細書において、接地面とは、映写用スクリーン装置又は反射装置を設置する際、設置対象面に対し当該映写用スクリーン装置又は反射装置が接面する部分、又はこの部分を含む底面等をいう。また、独立とは、二以上のものが分かれて存在することをいうものとし、気体充填部が互いに独立しているとは、二以上の気体充填部が互いに分かれて存在することをいい、これらが連結されているか否かは問わず、例えば、二以上の気体充填部が通気・非通気の切り替え可能や、一方向のみ通気可能に連結されているものも含むものとする。さらに、スクリーン体又は反射体の起立使用状態とは、スクリーン体又は反射体が展張状態で且つ使用姿勢であることをいい、展張状態とは、スクリーン体又は反射体の少なくとも一部が投影された映像等を映し出す、又は反射することができる程度に展開され張られた状態をいい、使用姿勢とは、スクリーン体又は反射体が使用される向きや角度にある姿勢のことをいうものとする。
【００２２】
本発明に係る映写用スクリーン装置又は反射装置１の実施形態を、図１乃至図３に沿って説明する。ここで、この映写用スクリーン装置又は反射装置１は、スクリーン体２を設けることで、映写用スクリーン装置として機能する状態であるが、このスクリーン体２を反射体とすることで、反射装置１として機能するものとなる。
【００２３】
図１及び図２に示すように、映写用スクリーン装置又は反射装置１（第一実施形態）は、スクリーン体２と、少なくとも一部に気体が充填されることで前記スクリーン体２を起立使用状態で保持するベース本体３とを有し、ベース本体３が、起立使用状態において接地する接地面を構成する基体部４（図１において濃ドットを付した部分）と、スクリーン体２を保持する支持部５とを備え、基体部４の気体充填部４ａと支持部５の気体充填部５ａとが互いに独立していることで、設置する際、これらに対して気体の充填を順次行なうことができるものである。また、支持部５は、スクリーン体２のスクリーン面２ａを展張状態に保持する第一支持部５１（図１において薄ドットを付した部分）と、スクリーン体２を使用姿勢に保持する第二支持部５２（図１においてドットを付していない部分）とを備えたものである。
【００２４】
スクリーン体２は、可撓性シート材よりなるものであって、起立使用状態の映写用スクリーン装置及び１において正面側の大部分に配置され、その形状は略横長長方形状となっている。このスクリーン体２の正面はスクリーン面２ａとして構成されているため、例えば、前方から投影された映像を前側に映し出すことができる。また、このスクリーン体２はベース本体３によって起立使用状態に保持されている。ここで、スクリーン体２は、少なくとも一部に投影された映像を映し出すことができるものであれば種々の形態のものを採用することができ、当然に平面的なものに限らず立体的なものであってもよく、例えば気体を充填することによってその形状が変化するものであってよい。
【００２５】
ベース本体３は、各部に設けられた気体充填部に気体が充填されることで、図示するように、スクリーン体２を起立使用状態に保持するものである。このベース本体３は内部を気体充填部とする複数のチューブ体により構成されるものであって、これらのチューブ体に気体が充填されることによって、スクリーン体２を起立使用状態で保持するベース本体３が形成されるものとなっている。これらのチューブ体は、可撓性シート材で略円柱状に構成されるとともに、気体の充填口及び排気口が設けられている。この充填口及び排気口は別々に設けてもよいが、一体型とすることで構造をより簡易なものとしてもよい。ベース本体３を構成する全てのチューブ体の気体を抜くと、ベース本体３の全体が小さく萎むと同時に、スクリーン体２も折り畳まれ、映写用スクリーン装置又は反射装置１が極めて小さいものなるため、運搬や保管において有利なものとなっている。ベース本体３は、基体部４と支持部５に区分される。
【００２６】
基体部４は、ベース本体３の底面を構成するものであって、接地面を有するものである。この基体部４は、外形が横長長方形状に形成されるとともに、内側に二本の補強バーを設け、全体が略倒目の字状に形成されたものである。また、基体部４は一体的に構成され、基体部４の気体充填部も全てが連通する状態で構成されている。このため、一つの充填口から気体を充填することで、基体部４の全ての気体充填部が充填され、基体部４を使用状態に形成することができる。この構成により、横長長方形状の映写用スクリーン装置又は反射装置１の底面に位置する基体部４が高い剛性を有するものとなっており、装置全体がより安定するものとなっている。基体部４の上側には、スクリーン体２を支持する支持部５が連結されている。
【００２７】
支持部５は、基体部４とは別の気体充填部を備える。このため、映写用スクリーン装置又は反射装置１の充填・設置作業において、まず基体部４を充填し、この状態で設置場所や向きを調整して、支持部５を充填することができる。
【００２８】
また、支持部５は、スクリーン体２のスクリーン面２ａを展張状態に保持する第一支持部５１と、スクリーン体２を使用姿勢に保持する第二支持部５２とを備えてなるものである。つまり、支持部５に気体を充填した状態では、第一支持部５１がスクリーン体２のスクリーン面２ａを展張した状態とし、この展張されたスクリーン面２ａを含むスクリーン体２を、第二支持部５２によって起き上らせた使用姿勢で保持することで、スクリーン体２を起立使用状態に保持することができるものとなっている。
【００２９】
第一支持部５１は、独立した一つの気体充填部を備え、この気体充填部に気体が充填されることでスクリーン体２のスクリーン面２ａを展張状態に保持するものとなっている。この第一支持部５１は、略倒コ字状の外枠とこの外枠の内側に二本の補強部が形成されている。また、外枠の内側にはスクリーン体２の外周縁が取り付けられている。ここで、二本の補強バーは外形を形成する棒体よりも若干細くなっているため、スクリーン体２の展張の妨げとならず、且つ展張されたスクリーン体２の後側に配置されることでスクリーン体２自体の弛みを防ぐことができるものとなっている。このような構成によって、スクリーン体２のスクリーン面２ａはフラットで撓みの少ないものとして保持される。
【００３０】
第二支持部５２は、夫々独立した気体充填部を備える合計五本のチューブ体よりなるものであって、これらの気体充填部に気体が充填されることで、全てのチューブ体が棒状体に形成されてスクリーン体２を使用姿勢に保持するものとなっている。この第二支持部５は、各棒状体が夫々独立した気体充填部を備えるものとなっているが、これらを連結して一つの気体充填部として構成してもよい。
【００３１】
上述の通り、映写用スクリーン装置又は反射装置１は、基体部４と、第一支持部５１と、複数の第二支持部５２，５２，…を備え、これらが連結されていることで、気体充填後には、映写用スクリーン装置又は反射装置１を形成するものである。ここで、これらの各部の連結については、図示するように互いを直接的に連結することもできるし、また、各部の間に連結部材を設けて、連結強度を高くしたり、連結角度を規制したりすることもできる。
【００３２】
映写用スクリーン装置又は反射装置１の充填・設置作業の手順について図３に沿って説明する。
【００３３】
まず、図３（ａ）に示すように、充填前の映写用スクリーン装置又は反射装置１を、基体部４の接地面が設置予定位置となるように載置する。このとき、支持部３とスクリーン体２は、スクリーン体２側に倒しておく。
【００３４】
次に、図３（ｂ）に示すように、基体部４に気体を充填する。この充填を完了すると、基体部４が形成されるが、この時点で基体部４の位置や向きにズレが生じている場合は、この基体部４をスクリーン体２及び支持部３と共に移動させて載置位置や向きの微調整を行なう。この微調整は、基体部４のみが膨らんだ状態で行うため、比較的大きなサイズの映写用スクリーン装置又は反射装置であっても行ない易いものとなっている。
【００３５】
その後、図３（ｃ）に示すように、第二支持部５２に気体を充填する。第二支持部５２は基体部４の最後部から斜め前方に向かって傾斜するように設けられるため、この第二支持部５２を、直立する第一支持部５１よりも先に充填することで、充填中の転倒を防ぐことができる。
【００３６】
最後に、図３（ｄ）に示すように、第一支持部５１に気体を充填する。第一支持部５１にはスクリーン体２が取り付けられているため、これが充填されて図示するように直立することでスクリーン体２が起立使用状態に支持されるものとなる。
【００３７】
上述のように、各部の気体充填部を区分けして構成していることで、充填・設置作業において、映写用スクリーン装置又は反射装置１の立ち上がり方を制御することができ、充填・設置作業時の転倒などの問題を起こすことなく、また、位置や向きの微調整も効率よく行うことができるものとなっている。
【００３８】
なお、使用後の収納作業においては、充填作業とは反対に、第一支持部５１、第二支持部５２、基体部４の順に排気することで、転倒などの問題が起きず安全且つ迅速に、映写用スクリーン装置又は反射装置１を収納することができる。
【００３９】
次に、本発明の別の実施形態に係る映写用スクリーン装置又は反射装置１Ａ（第二実施形態），１Ｂ（第三実施形態）の構成について、図４及び図５に沿って説明する。
【００４０】
図４（ａ）及び（ｂ）に示すように、映写用スクリーン装置又は反射装置１Ａは、第二支持部５２Ａの最下部に角度調整手段６を備える。この角度調整手段６は、第二支持部５２Ａの最下部の内部に、他の部分の気体充填部５２ａとは別に、独立した気体充填部６ａを更に設けて構成されている。このため、第二支持部５２Ａの各棒状体は、この最下部の気体充填部６ａと、これよりも上側に位置する気体充填部５２ａとの二つの気体充填部６ａ，５２ａを備えることとなる。この最下部の気体充填部６ａは、スクリーン体２のスクリーン面２ａの角度を調整する場合に用いるものである。つまり、スクリーン体２を直立状態で使用する場合は、この最下部の気体充填部６ａにも気体を充填することで、図４（ａ）に示すように用いることができ、スクリーン体２のスクリーン面２ａを斜め上に向けて使用する場合は、この最下部の気体充填部６ａに気体を充填しない、又は脱気することで、図４（ｂ）に示すように、第二支持部５２Ａの各棒状体が少し短く形成され、スクリーン体２が傾斜した状態で支持されることとなる。なお、この最下部の気体充填部６ａは、図示するように一つ設ければ角度調整手段６として機能することとなるが、複数設けることで、角度調整を段階的に行なうことができるものとしてもよい。
【００４１】
図５には、角度調整手段６Ａとして、第二支持部５２Ｂの最下部に楔形状の気体充填部６ａを設けた映写用スクリーン装置又は反射装置１Ｂを示す。この構成によれば、より適切なスクリーン体又は反射体の角度調整を行い得るものとなる。
【００４２】
なお、映写用スクリーン装置又は反射装置１Ａ，１Ｂのように、角度調整手段６として第二支持部５２Ａの最下部の気体充填部６ａがあると、例えば、強風や落雷等の影響によっての使用中の映写用スクリーン装置又は反射装置１Ｄを迅速に安全な状態とする必要がある場合にも、この最下部の気体充填部を先に脱気することで、適切な対応が可能となる。
【００４３】
角度調整手段については、図６に示すように、基体部４の底面側に更に独立した気体充填部を有する角度調整手段７を設けてなるもの（第四実施形態）としても良い。このような構成によれば、映写用スクリーン装置又は反射装置１Ｃのスクリーン体２と支持部３の連結の強度を高く維持したまま、スクリーン体２の角度を変更することができる。また、基体部４は、角度調整手段７を複数設けたものや、角度調整手段７が複数の気体充填部を設けたものであってもよく、このような構成によれば、角度調整を段階的に行なうことができるものとなる。
【００４４】
図７には、本発明の更に別の実施形態（第五実施形態）に係る映写用スクリーン装置又は反射装置１Ｄを示す。
【００４５】
映写用スクリーン装置又は反射装置１Ｄは、基体部４の上側の開口の全てを塞ぐカバー８を設けるとともに、このカバー８の下側に形成される空間に気体を送り込むための送気口８ａをカバー８に設けてなるものである。この構成によれば、図示するように、コンプレッサＣを用いて送気口８ａからカバー８で塞がれた基体部４の内側に気体を送り込むことで、送り込まれた気体が常に基体部４の底面から、基体部４の外側へ漏れ出るため、映写用スクリーン装置又は反射装置１Ｄが空中浮揚し、又はこれに近い状態となり、映写用スクリーン装置又は反射装置１Ｄと設置面との摩擦力が減少して、位置や向きの微調整を容易に行なうことができるものとなる。また、この位置や向きの微調整は、図３の充填・設置作業において、図３（ｂ）の状態、つまり、基体部４のみを充填した状態にて行なうこともできる。
【００４６】
図８には、映写用スクリーン装置及反射装置１Ａを反射装置としての起立使用状態を示す。
【００４７】
天然芝の球技場では、日光Ｓが観覧席Ｓの屋根Ｒ等に遮られることで、芝Ｔに日光Ｓが当たらず、芝Ｔが枯れてしまうため、これを解消すべく、映写用スクリーン装置又は反射装置１Ｂを用いる。この映写用スクリーン装置又は反射装置１Ｂは、スクリーン体ではなく反射体を備える。反射体は上記各実施形態の映写用スクリーン装置又は反射装置１，１Ａ，１Ｂ，１Ｃ，１Ｄのスクリーン体２と同じ位置に、同様の縦横寸法を有する反射体を、スクリーン体２の代わりに、又はスクリーン体２の上から設けられている。このような反射体を設けた映写用スクリーン装置又は反射装置１Ｂを図示するように、日光が当たらない芝Ｔに、反射体によって反射された日光Ｓが当たるように、配置することで芝Ｔを正常に育成し、グラウンドＧを良い状態に保つことができる。なお、反射体は、少なくとも太陽光を反射できるものであればよいため、スクリーン体と同様の形状のものに限らず、また、その素材も当然に種々のものを採用することができる。
【符号の説明】
【００４８】
１，１Ａ，１Ｂ，１Ｃ，１Ｄ  映写用スクリーン装置又は反射装置
２     スクリーン体
２ａ   スクリーン面
３     ベース本体
４     基体部
４ａ   気体充填部
５     支持部
５     第二支持部
５ａ   気体充填部
６     角度調整手段（第二支持部追加型  基本形状）
６Ａ   角度調整手段（第二支持部追加型  楔形状）
７     角度調整手段（基体部追加型）
８     カバー
８ａ   送気口
５１   第一支持部
５２，５２Ａ，５２Ｂ 第二支持部
５２ａ 気体充填部
Ｃ     コンプレッサ
Ｇ     グラウンド
Ｒ     屋根
Ｂ     観覧席
Ｓ     日光
Ｔ     芝
【図１】
2019139055.tif 000003
【図２】
2019139055.tif 000004
【図３】
2019139055.tif 000005
【図４】
2019139055.tif 000006
【図５】
2019139055.tif 000007
【図６】
2019139055.tif 000008
【図７】
2019139055.tif 000009
【図８】
2019139055.tif 000010